(57)【要約】【課題】ミラーユニットにおいて、入射光束中に突出する部材を減らす。【解決手段】ミラーユニットであって、入射光束中に斜設される第１状態と、入射光束から退避する第２状態の間で回動するミラー部と、ミラー部と一体的に設けられ、ミラー部の回動軸方向の成分を含む方向へミラー部から突出した突出部と、突出部を挿通させる挿通孔を有する側壁部と、側壁部に対して、ミラー部が配される側とは反対側に設けられ、突出部と直接的または間接的に接触して、ミラー部を第１状態に位置決めする位置決め部とを備える。【選択図】図２
2012047826.tif 000002
【特許請求の範囲】
【請求項１】
入射光束中に斜設される第１状態と、入射光束から退避する第２状態の間で回動するミラー部と、
前記ミラー部と一体的に設けられ、前記ミラー部の回動軸方向の成分を含む方向へ前記ミラー部から突出した突出部と、
前記突出部を挿通させる挿通孔を有する側壁部と、
前記側壁部に対して、前記ミラー部が配される側とは反対側に設けられ、前記突出部と直接的または間接的に接触して、前記ミラー部を前記第１状態に位置決めする位置決め部と
を備えるミラーユニット。
【請求項２】
前記第２状態から前記第１状態へ前記ミラー部と共に回動する前記突出部の接触を受けて回動し始め、前記位置決め部と接触して停止することにより、前記ミラー部の位置決めに伴う衝撃を緩和して前記ミラー部を前記第１状態に位置決めする緩衝部を備える請求項１に記載のミラーユニット。
【請求項３】
前記第１状態から前記第２状態へ回動する前記ミラー部または前記突出部を受けて前記ミラー部を前記第２状態に停止させる停止部を備え、
前記緩衝部は更に、前記第１状態から前記第２状態へ前記ミラー部と共に回動する前記突出部の接触を受けて回動し始め、前記停止部と接触して停止することにより、前記ミラー部の停止に伴う衝撃を緩和して前記ミラー部を前記第１状態に位置決めする請求項２に記載のミラーユニット。
【請求項４】
前記第１状態から前記第２状態へ前記ミラー部と共に回動する前記突出部の接触を受ける位置は、前記ミラー部が前記入射光束から退避した領域となるように設定された請求項３に記載のミラーユニット。
【請求項５】
前記緩衝部は、前記ミラー部の回動軸と同軸周りに回動する請求項２から４のいずれか一項に記載のミラーユニット。
【請求項６】
前記緩衝部および前記側壁部の一方側から他方側を付勢する付勢部を備え、
前記緩衝部は、前記突出部の接触による回動方向への作用力を受けていない場合には、前記付勢部の付勢力により静止状態を保つ請求項２から５のいずれか１項に記載のミラーユニット。
【請求項７】
前記緩衝部は、前記突出部が回動する軌跡に沿ってスリットを有し、
前記突出部は、前記緩衝部と、前記スリットの端部で接触する請求項２から６のいずれか１項に記載のミラーユニット。
【請求項８】
前記突出部が前記緩衝部に接触して生じるバウンドが収束するまでの時間が、前記緩衝部を固定した場合に前記突出部が前記緩衝部に接触して生じるバウンドが収束するまでの時間よりも短くなるように、前記ミラー部および緩衝部の慣性モーメントが設定された請求項２から７のいずれか１項に記載のミラーユニット。
【請求項９】
請求項１から８のいずれか１項に記載のミラーユニットを備える撮像装置。
【発明の詳細な説明】
【技術分野】
【０００１】
本発明はミラーユニットおよび撮像装置に関する。
【背景技術】
【０００２】
往復移動するミラー部材を含むミラーユニットにおいて、ミラー部材が停止するときに生じるバウンドを積極的に減衰させる構造がある（特許文献１参照）。
［先行技術文献］
［特許文献］
［特許文献１］特開平０７−０３６１０５号公報
【発明の概要】
【発明が解決しようとする課題】
【０００３】
しかしながら、ミラー部材の停止位置を決める位置決め部材が撮像中も入射光束に侵入する構造は、ミラーユニットの光学的な特性に影響を生じていた。
【課題を解決するための手段】
【０００４】
上記課題を解決すべく、本発明の第一態様として、入射光束中に斜設される第１状態と、入射光束から退避する第２状態の間で回動するミラー部と、ミラー部と一体的に設けられ、ミラー部の回動軸方向の成分を含む方向へミラー部から突出した突出部と、突出部を挿通させる挿通孔を有する側壁部と、側壁部に対して、ミラー部が配される側とは反対側に設けられ、突出部と直接的または間接的に接触して、ミラー部を第１状態に位置決めする位置決め部とを備えるミラーユニットが提供される。
【０００５】
また、本発明の第二態様として、上記ミラーユニットを備える撮像装置が提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】一眼レフカメラ１００の構造を模式的に示す断面図である。
【図２】ミラーユニット４００の斜視図である。
【図３】ミラーユニット４００の部分的な水平断面図である。
【図４】ミラー駆動部５００の側面図である。
【図５】ミラー駆動部５００の側面図である。
【図６】ミラーユニット４００の動作を示す側面図である。
【図７】ミラーユニット４００の動作を示す側面図である。
【図８】ミラーユニット４００の動作を示す側面図である。
【図９】ミラーユニット４００の動作を示す側面図である。
【図１０】ミラーユニット４００の動作を示す側面図である。
【図１１】ミラーユニット４００の動作を示す側面図である。
【図１２】他のミラーユニット４０１の側面図である。
【図１３】ミラーユニット４０１の動作を示す側面図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、ミラーユニット４００を備えた撮像装置である一眼レフカメラ１００の模式的断面図である。一眼レフカメラ１００は、レンズユニット２００およびカメラ本体３００を備える。
【００１０】
レンズユニット２００は、固定筒２１０、複数のレンズ２２０、２３０、２４０、レンズマウント２５０および鏡筒ＣＰＵ２６０を有する。固定筒２１０の一端は、レンズマウント２５０を介して、カメラ本体３００のボディマウント３６０に結合される。
【００１１】
レンズマウント２５０およびボディマウント３６０の結合は特定の操作により解除できる。これにより、カメラ本体３００には、同じ規格のレンズマウント２５０を有する他のレンズユニット２００を装着できる。
【００１２】
レンズユニット２００において、カメラ本体３００から遠くに位置するレンズ２２０は、固定筒２１０から直接に支持される。これに対して、他のレンズ２３０、２４０は、固定筒２１０対して光軸Ｘ方向に移動する。これにより、レンズユニット２００の光学系は変倍または合焦する。
【００１３】
例えば、レンズ２３０は、レンズユニット２００の倍率を変化させる場合に移動するズームレンズのひとつとなる。また、レンズ２４０は、レンズユニット２００の焦点位置を変化させる場合に移動するフォーカシングレンズのひとつとなる。
【００１４】
鏡筒ＣＰＵ２６０は、レンズユニット２００における制御を司ると共に、カメラ本体３００との通信も担う。これにより、レンズユニット２００がカメラ本体３００に装着された場合に、カメラ本体３００と連携して動作する。また、防振ユニットを備えたレンズユニット２００では、鏡筒ＣＰＵ２６０は、振動を打ち消すレンズの移動方向および移動量を算出してアクチュエータを制御する。
【００１５】
カメラ本体３００は、レンズユニット２００に対してボディマウント３６０の背後に配されたミラーユニット４００を備える。ミラーユニット４００の下方には合焦光学系３８０が配される。また、ミラーユニット４００の上方にはフォーカシングスクリーン３５２が、それぞれ配される。
【００１６】
フォーカシングスクリーン３５２の更に上方にはペンタプリズム３５４が、ペンタプリズム３５４に対して後方にはファインダ光学系３５６が配される。ファインダ光学系３５６の後端は、ファインダ３５０としてカメラ本体３００の背面に露出する。
【００１７】
ミラーユニット４００の後方には、フォーカルプレンシャッタ３７０、ローパスフィルタ３３２および撮像素子３３０が順次配される。撮像素子３３０の更に背後には、本体ＣＰＵ３２２および画像処理回路３２４が実装された主基板３２０が配される。また更に、カメラ本体３００の背面には背面表示部３４０が配される。背面表示部３４０は、例えば、液晶表示板等を用いて形成できる。
【００１８】
ミラーユニット４００は、メインミラー４２０およびサブミラー４６０を収容するミラーボックス４０２を有する。メインミラー４２０は、メインミラー保持枠４１０に支持される。メインミラー保持枠４１０の一端は、メインミラー回動軸４３０によりミラーボックス４０２から軸支される。
【００１９】
サブミラー４６０は、サブミラー保持枠４５０により保持される。サブミラー保持枠４５０の一端は、サブミラー回動軸４７０により、メインミラー保持枠４１０から軸支される。よって、サブミラー４６０は、メインミラー保持枠４１０に対して回動する。メインミラー保持枠４１０が回動した場合、サブミラー４６０およびサブミラー保持枠４５０もメインミラー保持枠４１０と共に移動する。
【００２０】
メインミラー保持枠４１０の図中手前側の側面には、メインミラー回動軸４３０と平行に突出して設けられた位置決めピン４４０が配される。位置決めピン４４０は、メインミラー保持枠４１０と共に昇降する。よって、位置決めピン４４０を位置決めすることにより、メインミラー保持枠４１０の停止位置を位置決めできる。
【００２１】
回動によりメインミラー保持枠４１０の前端が下降して停止した場合、メインミラー４２０は、レンズユニット２００から入射した入射光束上に斜めに配される第一状態をとなる。メインミラー保持枠４１０の一端が上昇して停止した場合、メインミラー４２０は、入射光束を避けた位置に退避した第二状態となる。
【００２２】
メインミラー４２０が第二状態にある場合は、位置決めピン４４０も、メインミラー保持枠４１０と共に、入射光束を避けた退避位置に退避している。よって、位置決めピン４４０が入射光束の一部を散乱させることはない。
【００２３】
第一状態において斜設位置にあるメインミラー４２０は、レンズユニット２００を通じて入射した入射光束を反射してフォーカシングスクリーン３５２に導く。フォーカシングスクリーン３５２は、レンズユニット２００の光学系が合焦した場合に被写体像を結ぶ位置に配されて、当該被写体像を可視化する。
【００２４】
フォーカシングスクリーン３５２に結像された像は、ペンタプリズム３５４およびファインダ光学系３５６を通じてファインダ３５０から観察される。ここで、被写体像の光束がペンタプリズム３５４を通ることにより、フォーカシングスクリーン３５２上の被写体像は、ファインダ３５０から正立正像として観察できる。
【００２５】
測光センサ３９０は、ファインダ光学系３５６の上方に配され、ペンタプリズム３５４において分岐されさた入射光束の一部を受光する。測光センサ３９０は、受光した入射光束の一部から被写体の明るさを検出して、本体ＣＰＵ３２２に撮影条件の一部である露出条件を算出させる。また、受光した入射光束の一部を三原色毎に測光して、オートホワイトバランスの算出に与する。
【００２６】
また、メインミラー４２０は、入射した入射光束の一部を透過するハーフミラー領域を有する。サブミラー４６０は、ハーフミラー領域から入射した入射光束の一部を、合焦光学系３８０に向かって反射する。合焦光学系３８０は、入射した入射光束の一部を焦点検出センサ３８２に導く。これにより、カメラ本体３００は、レンズユニット２００を合焦させるレンズ２３０の目標位置を決定できる。
【００２７】
上記のような一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー４２０およびサブミラー４６０が退避位置に移動して、フォーカルプレンシャッタ３７０が開く。よって、レンズユニット２００から入射した入射光束は、ローパスフィルタ３３２を通過して、撮像素子３３０に入射する。
【００２８】
撮像素子３３０は、ＣＣＤセンサ（Ｃｈａｒｇｅ  Ｃｏｕｐｌｅｄ  Ｄｅｖｉｃｅ）、ＣＭＯＳセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光電変換素子により形成され、受光した被写体像を電気信号に変換して出力する。撮像素子３３０から出力された電気信号は画像処理回路３２４において撮影画像データに変換される。
【００２９】
図２は、ミラーユニット４００の斜視図である。図１と共通の要素には同じ参照番号を付して重複する説明を省く。
【００３０】
ミラーユニット４００は、側壁部４０６に対してメインミラー４２０と反対側に、即ち、ミラーボックス４０２の側壁部４０６の外側に、緩衝部材４８０、下側偏心ピン４９２および上側偏心ピン４９４を有する。緩衝部材４８０は、メインミラー回動軸４３０と同軸な回動軸の回りに、ミラーボックス４０２に沿って回動する。
【００３１】
緩衝部材４８０の回動範囲は、側壁部４０６から突き出して配された下側偏心ピン４９２および上側偏心ピン４９４により決定される。即ち、回動した緩衝部材４８０は、下側偏心ピン４９２または上側偏心ピン４９４に接触することにより停止する。このように、下側偏心ピン４９２および上側偏心ピン４９４は、それぞれ、緩衝部材４８０を停止させ、且つ、位置決めする。
【００３２】
なお、下側偏心ピン４９２および上側偏心ピン４９４のそれぞれは、メインミラー回動軸４３０と平行な回転軸の回りに回すことができる。また、緩衝部材４８０が当接する先端部は、この回転軸に対して偏心している。よって、下側偏心ピン４９２および上側偏心ピン４９４は、個別に回転することにより、緩衝部材４８０に対する当接位置を調整できる。
【００３３】
側壁部４０６には、メインミラー保持枠４１０から側方に突出した位置決めピン４４０が挿通される挿通孔４０４が配される。挿通孔４０４は、メインミラー回動軸４３０を中心とする円弧状の形状を有して、位置決めピン４４０の移動の軌跡に沿って形成される。
【００３４】
これにより、側壁部４０６は、位置決めピン４４０の移動を妨げない。挿通孔４０４は、円弧の周方向についても、位置決めピン４４０の移動範囲よりも長い寸法を有する。よって、挿通孔４０４の内面が、位置決めピン４４０に接することはない。
【００３５】
緩衝部材４８０も、メインミラー回動軸４３０を中心とする円弧状の形状を有して、位置決めピン４４０を挿通された長穴４８１が配される。長穴４８１は、位置決めピン４４０の外径よりも大きな幅を有して、位置決めピン４４０の移動方向に対して交差する方向から位置決めピン４４０に接することはない。
【００３６】
しかしながら、円弧の周方向については、位置決めピン４４０の移動範囲よりも短い寸法を有する。このため、位置決めピン４４０が移動した場合は、移動範囲の終端付近において、位置決めピン４４０および長穴４８１の内面が当接する。この点については、他の図を参照して参照して後述する。
【００３７】
メインミラー保持枠４１０の図中奥側の側面には、被駆動ピン４１２が配される。被駆動ピン４１２は、後述するミラー駆動部から駆動力を受けて上昇または下降する。メインミラー保持枠４１０はメインミラー回動軸４３０により軸支されているので、被駆動ピン４１２の上昇または下降により回動する。これにより、メインミラー４２０の前端を上昇または下降させることにより、メインミラー４２０を斜設位置と退避位置との間で移動させる。
【００３８】
なお、下記の説明において、メインミラー保持枠４１０またはメインミラー４２０を上昇させると記載した場合は、これらの部材を、斜設位置から退避位置に回動させることを意味する。また、メインミラー保持枠４１０またはメインミラー４２０を下降させると記載した場合は、これらの部材を、退避位置から斜設位置に回動させることを意味する。
【００３９】
図３は、ミラーユニット４００の部分的な水平断面図である。図１および図２と共通の要素には同じ参照番号を付して重複する説明を省く。
【００４０】
図示のように、メインミラー回動軸４３０は、メインミラー保持枠４１０と、緩衝部材４８０とを共通に軸支する。ここで、側壁部４０６および緩衝部材４８０の間で、メインミラー回動軸４３０は皿バネ４３２に挿通される。皿バネ４３２は、側壁部４０６および緩衝部材４８０に挟まれて弾性変形している。
【００４１】
換言すれば、皿バネ４３２は、緩衝部材４８０を、メインミラー回動軸４３０に対して軸方向に付勢している。これにより、緩衝部材４８０が回動する場合には、メインミラー回動軸４３０に対して摺動抵抗が生じる。また、緩衝部材４８０は、回動方向への作用力を受けていない場合には、メインミラー回動軸４３０に対して静止状態を保つ。
【００４２】
図４は、ミラー駆動部５００の側面図である。ミラー駆動部５００は、図２において、図中奥側に配された被駆動ピン４１２に駆動力を伝える。図４は、図２中に矢印Ｐで示す側から見た様子を示すので、図４中に点線で示すように、メインミラー４２０は、図１および図２とは反対に傾斜する。
【００４３】
ミラー駆動部５００は、駆動歯車５１０、駆動レバー５２０、押し下げバネ５３０および引き上げバネ５４０を有する。駆動歯車５１０は、共に回転するカム５１４を側面に備える。また、駆動歯車５１０は、外周に沿って配列された歯を有し、図示していないモータ等から回転駆動力を伝えられて、回転軸５１２の回りを回転する。
【００４４】
駆動レバー５２０は、被駆動部５２４および押し上げ部５２６を一体的に備え、中程の回動軸５２２の回りを回動する。また、駆動レバー５２０は、引き上げバネ５４０により、図中で反時計回りに回動する方向に付勢されている。よって、図示の状態では、被駆動部５２４は、駆動歯車５１０のカム５１４に押し付けられている。
【００４５】
メインミラー保持枠４１０から図中手前側に突出する被駆動ピン４１２は、押し下げバネ５３０により下方に向かって付勢される。これにより、被駆動ピン４１２に他の力が作用していない場合、メインミラー保持枠４１０は下降する方向に付勢されている。
【００４６】
上記のようなミラー駆動部５００において、メインミラー４２０を斜設位置から退避位置に上昇させる場合は、図中に矢印Ｕにより示すように、駆動歯車５１０を、図中で反時計回りに回転させる。これにより、カム５１４は下方に移動し、やがて、駆動レバー５２０の被駆動部５２４が、駆動歯車５１０のカム５１４から開放される。
【００４７】
図５は、ミラー駆動部５００の側面図であり、メインミラー４２０を斜設位置から退避位置へ移動させる場合の動作を示す。図４と共通の要素には同じ参照番号を付して重複する説明を省く。
【００４８】
被駆動部５２４がカム５１４から開放されると、駆動レバー５２０は、引き上げバネ５４０の付勢力に従って図中反時計回りに回動する。これにより、駆動レバー５２０の押し上げ部５２６は、被駆動ピン４１２に下から当接する。
【００４９】
ここで、引き上げバネ５４０の付勢力は、押し下げバネ５３０の付勢力よりも大きい。よって、被駆動ピン４１２は、押し下げバネ５３０の付勢力に抗して、引き上げバネ５４０の付勢力に従って上昇する。これにより、メインミラー保持枠４１０は回動し、メインミラー４２０は斜設位置から退避位置へと移動する。
【００５０】
また、メインミラー４２０を、退避位置から斜設位置に移動させる場合、ミラー駆動部５００は下記のように動作する。まず、図５に矢印Ｄにより示すように、駆動歯車５１０を図中時計回りに回転させる。これにより、カム５１４が駆動レバー５２０に近づく。
【００５１】
やがて、カム５１４と被駆動部５２４は再び当接する。更に駆動歯車５１０が回転を続けると、被駆動部５２４を押された駆動レバー５２０は、回動軸５２２の回りを図中時計方向に回転する。
【００５２】
駆動レバー５２０が図中時計回りに強制的に回転すると、駆動レバー５２０を介して被駆動ピン４１２に伝達されていた引き上げバネ５４０の付勢力が、被駆動ピン４１２から遮断される。よって、押し下げバネ５３０の付勢力の作用により、被駆動ピン４１２は下降する。これにより、メインミラー４２０は、メインミラー回動軸４３０の回りに回動して下降する。
【００５３】
図６は、ミラー駆動部５００と反対側におけるミラーユニット４００の側面図である。メインミラー４２０が斜設位置にある場合の、ミラーボックス４０２の側面を示す。図１および図２と共通の要素には同じ参照番号を付して重複する説明を省く。
【００５４】
メインミラー４２０が斜設位置にある場合、位置決めピン４４０は、緩衝部材４８０の長穴４８１の下端４８２に当接している。緩衝部材４８０の下端は、下側偏心ピン４９２に当接して位置決めされる。よって、位置決めピン４４０は、下側偏心ピン４９２に、間接的に位置決めされている。
【００５５】
この状態で、ミラー駆動部５００が動作すると、メインミラー保持枠４１０の回動に伴って位置決めピン４４０が上昇する。このとき、位置決めピン４４０は、図中に矢印で示すように、挿通孔４０４および長穴４８１の内部を上昇する。
【００５６】
図７はから図１１までは、ミラーユニット４００の動作を示す側面図である。図６と共通の部材には同じ参照番号を付して重複する説明を省く。
【００５７】
図７に示すように、長穴４８１の内部を上昇した位置決めピン４４０は、やがて、長穴４８１の上端４８４に衝突する。ここで、緩衝部材４８０の慣性モーメントは、位置決めピン４４０が緩衝部材４８０に衝突して生じるバウンドが収束するまでの時間が、固定された部材に対して位置決めピン４４０が衝突した場合に生じるバウンドが収束するまでの時間よりも短くなるように反発係数等が調整されている。
【００５８】
即ち、緩衝部材４８０に衝突する位置決めピン４４０は、メインミラー保持枠４１０、メインミラー４２０、サブミラー保持枠４５０、サブミラー４６０等と一体的に移動しており、全体でひとつの系をなす。緩衝部材４８０は、この位置決めピン４４０を含む系の慣性モーメントと同じ慣性モーメントを有する。
【００５９】
このため、位置決めピン４４０が緩衝部材４８０の長穴４８１の上端４８４に衝突すると、位置決めピン４４０の運動量は緩衝部材４８０との間で保存され、位置決めピン４４０を含む系はその場に停止する。一方、運動量を得た緩衝部材４８０は、メインミラー回動軸４３０の回りに回動して、やがて、図８に示すように、上側偏心ピン４９４に当接する。
【００６０】
既に説明したように、緩衝部材４８０は、メインミラー回動軸４３０を挿通された皿バネ４３２により軸方向に付勢されている。よって、緩衝部材４８０は、メインミラー回動軸４３０に対して摺動抵抗を生じている。このため、メインミラー回動軸４３０の回りに回動した後に上側偏心ピン４９４に衝突した緩衝部材４８０は、バウンドまたは振動を殆ど生じることなく停止する。
【００６１】
一方、メインミラー保持枠４１０は、被駆動ピン４１２を介して、ミラー駆動部５００の引き上げバネ５４０により上方に向かって付勢されている。よって、メインミラー保持枠４１０と一体の位置決めピン４４０も上方に向かって付勢されている。このため、停止した位置決めピン４４０から緩衝部材４８０が離れると、位置決めピン４４０は再び上昇し始める。
【００６２】
上昇した位置決めピン４４０は、図９に示すように、緩衝部材４８０の長穴４８１の上端４８４に再び衝突して停止する。ここで再び図８を参照すると、いったん停止した位置決めピン４４０が、停止した緩衝部材４８０に再度衝突するまでの距離は、図中の符号Ａにより示すように短い。よって、引き上げバネ５４０の付勢力により生じた運動量は僅かで、緩衝部材４８０に再衝突した位置決めピン４４０は、バウンドまたは振動を殆ど生じることなく停止する。
【００６３】
図９に示した状態では、上側偏心ピン４９４に対して緩衝部材４８０が接して位置決めされている。更に、位置決めピン４４０は、緩衝部材４８０の長穴４８１の上端４８４に対して当接して位置決めされている。よって、位置決めピン４４０の最終的な停止位置は、上側偏心ピン４９４により規定された退避位置となる。
【００６４】
なお、位置決めピン４４０が当初緩衝部材４８０に衝突してから、最終的に上側偏心ピン４９４により決められた位置に停止するまでの振る舞いは、緩衝部材４８０および位置決めピン４４０の仕様および特性により様々に変化する。即ち、当初の衝突と最後の衝突との２回の衝突が生じる場合、最終的な停止までに何度も衝突する場合、当初衝突してからは位置決めピン４４０と緩衝部材４８０とが接触したまま共に移動する場合等がありえる。
【００６５】
しかしながら、いずれの場合であっても、位置決めピン４４０を含む系の運動量はいったん大きく失われるので、メインミラー４２０の位置決めに係る衝撃は、緩衝部材４８０の働きにより緩和される。よって、メインミラーのバウンドの大きさおよび継続時間が抑制され、一眼レフカメラ１００は、次の動作を迅速に開始できる。
【００６６】
なお、上記のような作用に鑑みて、位置決めピン４４０が最初に緩衝部材４８０の長穴４８１の上端４８４に衝突する位置は、位置決めピン４４０と一体的に移動するメインミラー保持枠４１０、メインミラー４２０等が、既に、入射光束の光路からはずれた位置であることが好ましい。これにより、一眼レフカメラ１００は、メインミラー４２０の状態如何にかかわらず、次の動作を迅速に開始できる。
【００６７】
次に、図９に示した状態から、メインミラー４２０が下降する場合について説明する。この状態で、図５に矢印Ｄで示したようにミラー駆動部５００が反転動作すると、メインミラー保持枠４１０は、再び、斜設位置に向かって回動する。これにより、位置決めピン４４０も、挿通孔４０４および長穴４８１の内部を下方に向かって移動する。ただし、皿バネ４３２により摺動抵抗を与えられた緩衝部材４８０は、上側偏心ピン４９４に接した状態のまま静止する。
【００６８】
やがて、図１０に示すように、位置決めピン４４０は、長穴４８１の下端４８２まで到達する。位置決めピン４４０および長穴４８１の下端４８２が衝突すると、位置決めピン４４０の運動量は緩衝部材４８０との間で保存され、緩衝部材４８０は回動し始める。
【００６９】
また、既に説明したように、緩衝部材４８０の慣性モーメントは、位置決めピン４４０を含む系の慣性モーメントに等しい。よって、緩衝部材４８０との衝突により位置決めピン４４０は略停止する。
【００７０】
やがて、図１１に示すように、緩衝部材４８０の下端が、下側偏心ピン４９２に当接する。緩衝部材４８０は摺動抵抗を与えられているので、下側偏心ピン４９２に当接すると、バウンドを殆ど生じることなく即座に停止する。
【００７１】
また、ミラー駆動部５００の押し下げバネ５３０の付勢力により、位置決めピン４４０は再び下降し始める。ただし、図中に矢印Ｂで示す通り、位置決めピン４４０の移動距離は短いので、位置決めピン４４０が長穴４８１の下端４８２に再び衝突した場合に生じる衝撃は小さい。
【００７２】
これにより、位置決めピン４４０は、バウンドまたは振動を生じることなく略即座に停止する。よって、位置決めピン４４０のバウンドの大きさおよび継続時間が抑制され、一眼レフカメラ１００は次の動作を迅速に開始できる。
【００７３】
また、緩衝部材４８０において長穴４８１の下端４８２および上端４８４が位置決めピン４４０に対して衝突する箇所は、緩衝部材４８０が回動する平面上に位置している。よって、上昇または下降する位置決めピン４４０が衝突した場合に緩衝部材４８０が受ける衝撃のモーメントの方向は、緩衝部材４８０がメインミラー回動軸４３０の回りに回動した場合に長穴４８１の下端４８２および上端４８４が変位する方向と一致している。このため、長穴４８１の内側で位置決めピン４４０が緩衝部材４８０に衝突した場合に、緩衝部材４８０を傾ける力は生じず、衝撃により緩衝部材４８０が煽られることがない。
【００７４】
これにより、位置決めピン４４０の上昇または下降が終了した場合に、緩衝部材４８０の形状により規定された位置決めピン４４０と下側偏心ピン４９２または上側偏心ピン４９４との間隔が、緩衝部材４８０の傾きにより変化することがない。よって、上記実施形態に係るミラーユニット４０１では、位置決めピン４４０のバウンド収束が早いだけではなく、停止したメインミラー４２０の位置決め精度が安定する。
【００７５】
図１２は、他のミラーユニット４０１の側面図である。なお、ミラーユニット４０１は、下記に説明する部分を除くと、図１から図１１までに示したミラーユニット４００と同じ構造を有する。そこで、共通の要素には同じ参照番号を付して重複する説明を省く。
【００７６】
ミラーユニット４０１は、緩衝部材４８０の図中左端の中央に、位置決め突起４８６を有する点と、位置決め突起４８６に径方向に当接する位置決めバネ４８８とを有する点において、ミラーユニット４００と異なる。位置決め突起４８６は、緩衝部材４８０のうち、メインミラー回動軸４３０から最も遠い側面に形成される。
【００７７】
位置決めバネ４８８は、側壁部４０６に設けられた固定部４０８に一端が固定されて、メインミラー回動軸４３０を中心とする円弧の径方向に緩衝部材４８０を付勢する。このとき、位置決めバネ４８８は、位置決め突起４８６に上方から当接する。これにより、緩衝部材４８０は、下方に向かって僅かに付勢されて下側偏心ピン４９２に押し付けられる。よって、外部から振動等が伝わった場合であっても、緩衝部材４８０は、メインミラー回動軸４３０と下側偏心ピン４９２により決められた位置を保持する。
【００７８】
図１３は、ミラーユニット４０１の動作を示す側面図である。位置決めピン４４０が移動して緩衝部材４８０に衝突した場合、緩衝部材４８０は、位置決めピン４４０の運動量を保持して移動する。これにより、緩衝部材４８０先端の位置決め突起４８６は、位置決めバネ４８８の付勢力に打ち勝って、先端を回動させる。
【００７９】
位置決め突起４８６の先端が位置決めバネ４８８の先端を乗り越えると、位置決め突起４８６はむしろ付勢力により回動し、やがて、上側偏心ピン４９４に押し付けられて停止する。よって、外部から振動等が伝わった場合であっても、緩衝部材４８０は、メインミラー回動軸４３０と下側偏心ピン４９２により決められた位置を保持する。
【００８０】
このように、位置決め突起４８６および位置決めバネ４８８の追加により、緩衝部材４８０および位置決めピン４４０の位置決めとその保持を安定させることができる。このような現象は、位置決めピン４４０が上方から下方に向かって移動する場合にも同様に発生して、同じ効果を発揮する。なお、位置決めバネ４８８は、緩衝部材４８０をメインミラー回動軸４３０に向かって常時押し付けている。よって、緩衝部材４８０が回動した場合に制動する役割も果たす。
【００８１】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００８２】
１００  一眼レフカメラ、２００  レンズユニット、２１０  固定筒、２２０、２３０、２４０  レンズ、２５０  レンズマウント、２６０  鏡筒ＣＰＵ、３００  カメラ本体、３２０  主基板、３２２  本体ＣＰＵ、３２４  画像処理回路、３３０  撮像素子、３３２  ローパスフィルタ、３４０  背面表示部、３５０  ファインダ、３５２  フォーカシングスクリーン、３５４  ペンタプリズム、３５６  ファインダ光学系、３６０  ボディマウント、３７０  フォーカルプレンシャッタ、３８０  合焦光学系、３８２  焦点検出センサ、３９０  測光センサ、４００、４０１  ミラーユニット、４０２  ミラーボックス、４０４  挿通孔、４０６  側壁部、４０８  固定部、４１０  メインミラー保持枠、４１２  被駆動ピン、４２０  メインミラー、４３０  メインミラー回動軸、４３２  皿バネ、４４０  位置決めピン、４５０  サブミラー保持枠、４６０  サブミラー、４７０  サブミラー回動軸、４８０  緩衝部材、４８１  長穴、４８２  下端、４８４  上端、４８６  位置決め突起、４８８  位置決めバネ、４９２  下側偏心ピン、４９４  上側偏心ピン、５００  ミラー駆動部、５１０  駆動歯車、５１２  回転軸、５１４  カム、５２０  駆動レバー、５２２  回動軸、５２４  被駆動部、５２６  押し上げ部、５３０  押し下げバネ、５４０  引き上げバネ
【図１】
2012047826.tif 000003
【図２】
2012047826.tif 000004
【図３】
2012047826.tif 000005
【図４】
2012047826.tif 000006
【図５】
2012047826.tif 000007
【図６】
2012047826.tif 000008
【図７】
2012047826.tif 000009
【図８】
2012047826.tif 000010
【図９】
2012047826.tif 000011
【図１０】
2012047826.tif 000012
【図１１】
2012047826.tif 000013
【図１２】
2012047826.tif 000014
【図１３】
2012047826.tif 000015